(57)【要約】【課題】画像出力の対象ファイルを特定するための情報をユーザが画像出力装置に入力しなくても、その画像出力装置でその対象ファイルを画像出力できるようにする。【解決手段】サーバ装置２００は、携帯端末装置３１０の識別情報と画像出力の対象ファイルを対応付けて管理する。携帯端末装置３１０は、画像出力装置４００を指定する指定情報をその画像出力装置４００から近接通信で受信し、近接通信で受信した画像出力装置４００の指定情報をサーバ装置２００へ送信する。サーバ装置２００は、携帯端末装置３１０の識別情報に対応付けられた対象ファイルを、その携帯端末装置３１０から取得した指定情報によって指定される画像出力装置４００へ送信する。【選択図】図１
2020003969.tif 000002
【特許請求の範囲】
【請求項１】
端末装置を識別する識別情報と画像出力の対象となる対象ファイルを対応付けて管理する手段と、
端末装置から当該端末装置の識別情報と画像出力装置を指定する指定情報を取得する手段と、
端末装置から取得した当該端末装置の識別情報に対応付けられた対象ファイルを、当該端末装置から取得した指定情報によって指定される画像出力装置へ送信する手段と、
を有する画像出力システム。
【請求項２】
端末装置とサーバ装置と画像出力装置を備えた請求項１に記載の画像出力システムにおいて、
前記端末装置は、
前記画像出力装置を指定する指定情報を当該画像出力装置から近接通信で受信する受信手段と、
当該端末装置の識別情報と前記近接通信で受信した前記画像出力装置の指定情報を前記サーバ装置へ送信する送信手段と、
を有し、
前記サーバ装置は、
前記端末装置の識別情報と画像出力の対象ファイルを対応付けて管理する管理手段と、
前記端末装置から取得した当該端末装置の識別情報に対応付けられた対象ファイルを、当該端末装置から取得した指定情報によって指定される前記画像出力装置へ送信する送信手段と、
を有し、
前記画像出力装置は、
当該画像出力装置の指定情報を近接通信で前記端末装置へ送信する送信手段と、
前記サーバ装置から送信された対象ファイルを受信する受信手段と、
前記受信手段が受信した対象ファイルを画像出力する出力手段と、
を有する、
ことを特徴とする画像出力システム。
【請求項３】
端末装置を識別する識別情報と画像出力の対象となる対象ファイルを対応付けて管理する管理手段と、
端末装置から当該端末装置の識別情報と画像出力装置を指定する指定情報を受信する受信手段と、
端末装置から得られた当該端末装置の識別情報に対応付けられた対象ファイルを、当該端末装置から得られた指定情報によって指定される画像出力装置へ送信する送信手段と、
を有するサーバ装置。
【請求項４】
請求項３に記載のサーバ装置において、
第１端末装置との関連付けを承認された第２端末装置から対象ファイルの登録を受け付ける受付手段をさらに有し、
前記管理手段は、前記第１端末装置の識別情報と前記第２端末装置から登録された対象ファイルを対応付けて管理する、
ことを特徴とするサーバ装置。
【請求項５】
請求項３または４に記載のサーバ装置において、
第１端末装置を特定する特定情報を生成する手段と、
前記特定情報を前記第１端末装置へ送信する手段と、
前記第１端末装置のユーザが第２端末装置に入力した前記特定情報を当該第２端末装置から受信する手段と、
前記第２端末装置から受信した前記特定情報によって特定される前記第１端末装置へ、前記第１端末装置と前記第２端末装置の関連付けを承認するかどうかの問い合わせ情報を送信する手段と、
前記第１端末装置のユーザによる前記関連付けの承認を前記第１端末装置から受け付ける手段と、
を有する、
ことを特徴とするサーバ装置。
【請求項６】
請求項３から５のいずれか１項に記載のサーバ装置において、
第１端末装置から当該サーバ装置へ認証を要求する第１ユーザが予め登録された登録ユーザであるかどうかを判定する手段と、
第２端末装置から当該サーバ装置へ認証を要求する第２ユーザが予め登録された登録ユーザであるかどうかを判定する手段と、
前記第１ユーザと前記第２ユーザが予め定められた対応関係を満たす登録ユーザ同士である場合に、前記第１端末装置と前記第２端末装置の関連付けを承認する手段と、
を有する、
ことを特徴とするサーバ装置。
【請求項７】
画像出力装置を指定する指定情報を当該画像出力装置から近接通信で受信する手段と、
端末装置自身を識別する識別情報と前記近接通信で受信した画像出力装置の指定情報をサーバ装置へ送信する手段と、
を有する端末装置。
【請求項８】
画像出力装置自身を指定する指定情報を近接通信で端末装置へ送信する手段と、
前記端末装置から前記指定情報を得たサーバ装置が送信する対象ファイルを受信する受信手段と、
前記受信手段が受信した対象ファイルを画像出力する出力手段と、
を有する画像出力装置。
【請求項９】
コンピュータに、
端末装置を識別する識別情報と画像出力の対象となる対象ファイルを対応付けて管理する機能と、
端末装置から当該端末装置の識別情報と画像出力装置を指定する指定情報を取得する機能と、
端末装置から得られた当該端末装置の識別情報に対応付けられた対象ファイルを、当該端末装置から得られた指定情報によって指定される画像出力装置へ提供する機能と、
を実現させるプログラム。
【請求項１０】
コンピュータに、
画像出力装置を指定する指定情報を当該画像出力装置から近接通信で取得する機能と、
当該コンピュータを識別する識別情報と近接通信で取得した前記画像出力装置の指定情報をサーバ装置へ提供する機能と、
を実現させるプログラム。
【請求項１１】
コンピュータに、
画像出力の対象となる対象ファイルの送信先を指定する指定情報を近接通信で端末装置へ提供する手段と、
前記端末装置から前記指定情報を得たサーバ装置が送信する対象ファイルを取得する機能と、を実現させるプログラム。
【発明の詳細な説明】
【技術分野】
【０００１】
本発明は、画像出力システム、サーバ装置、端末装置、画像出力装置及びプログラムに関する。
【背景技術】
【０００２】
特許文献１には、リモートユーザインタフェースへのアクセスが検知された場合、アクセスされたリモートユーザインタフェースのアドレス情報が近距離無線通信のタグに書き込まれたリモートユーザインタフェースのアドレス情報と一致するか否かを判定し、一致すると判定された場合、リモートユーザインタフェースへのアクセスを許可する画像形成装置が記載されている。
【０００３】
また、特許文献２には、端末装置が印刷を実行する画像処理装置を特定することなく印刷サービス装置に対して印刷を指示し、印刷サービス装置が印刷ジョブの保存場所に関する保存情報を端末装置の近距離無線通信ユニットに書き込む命令を送信し、画像処理装置が端末装置の近距離無線通信ユニットに書き込まれた保存情報を取得して印刷ジョブを実行する印刷システムが記載されている。
【０００４】
また、特許文献３には、複数のアプリケーションサービスのうちの１つを選択アプリケーションサービスとして選択し、その選択アプリケーションサービスを特定するための特定データを生成し、端末装置から特定データの送信要求があると、近距離無線通信で端末装置へ特定データを送信する画像形成装置が記載されている。
【先行技術文献】
【特許文献】
【０００５】
【特許文献１】特開２０１６−９１４２４号公報
【特許文献２】特許第６２５７１４７号公報
【特許文献３】特開２０１６−４６６２７号公報
【発明の概要】
【発明が解決しようとする課題】
【０００６】
特許文献１から３に記載される技術が知られている一方で、従来から、例えばサーバ装置などに登録された対象ファイルの画像を画像出力装置により出力するシステムも知られている。
【０００７】
本発明の目的は、画像出力の対象ファイルを特定するための情報をユーザが画像出力装置に入力しなくても、その画像出力装置でその対象ファイルを画像出力できるようにすることにある。
【課題を解決するための手段】
【０００８】
請求項１に係る発明は、端末装置を識別する識別情報と画像出力の対象となる対象ファイルを対応付けて管理する手段と、端末装置から当該端末装置の識別情報と画像出力装置を指定する指定情報を取得する手段と、端末装置から取得した当該端末装置の識別情報に対応付けられた対象ファイルを、当該端末装置から取得した指定情報によって指定される画像出力装置へ送信する手段と、を有する画像出力システムである。
【０００９】
請求項２に係る発明は、端末装置とサーバ装置と画像出力装置を備えた請求項１に記載の画像出力システムにおいて、前記端末装置は、前記画像出力装置を指定する指定情報を当該画像出力装置から近接通信で受信する受信手段と、当該端末装置の識別情報と前記近接通信で受信した前記画像出力装置の指定情報を前記サーバ装置へ送信する送信手段と、を有し、前記サーバ装置は、前記端末装置の識別情報と画像出力の対象ファイルを対応付けて管理する管理手段と、前記端末装置から取得した当該端末装置の識別情報に対応付けられた対象ファイルを、当該端末装置から取得した指定情報によって指定される前記画像出力装置へ送信する送信手段と、を有し、前記画像出力装置は、当該画像出力装置の指定情報を近接通信で前記端末装置へ送信する送信手段と、前記サーバ装置から送信された対象ファイルを受信する受信手段と、前記受信手段が受信した対象ファイルを画像出力する出力手段と、を有することを特徴とする画像出力システムである。
【００１０】
請求項３に係る発明は、端末装置を識別する識別情報と画像出力の対象となる対象ファイルを対応付けて管理する管理手段と、端末装置から当該端末装置の識別情報と画像出力装置を指定する指定情報を受信する受信手段と、端末装置から得られた当該端末装置の識別情報に対応付けられた対象ファイルを、当該端末装置から得られた指定情報によって指定される画像出力装置へ送信する送信手段と、を有するサーバ装置である。
【００１１】
請求項４に係る発明は、請求項３に記載のサーバ装置において、第１端末装置との関連付けを承認された第２端末装置から対象ファイルの登録を受け付ける受付手段をさらに有し、前記管理手段は、前記第１端末装置の識別情報と前記第２端末装置から登録された対象ファイルを対応付けて管理することを特徴とするサーバ装置である。
【００１２】
請求項５に係る発明は、請求項３または４に記載のサーバ装置において、第１端末装置を特定する特定情報を生成する手段と、前記特定情報を前記第１端末装置へ送信する手段と、前記第１端末装置のユーザが第２端末装置に入力した前記特定情報を当該第２端末装置から受信する手段と、前記第２端末装置から受信した前記特定情報によって特定される前記第１端末装置へ、前記第１端末装置と前記第２端末装置の関連付けを承認するかどうかの問い合わせ情報を送信する手段と、前記第１端末装置のユーザによる前記関連付けの承認を前記第１端末装置から受け付ける手段と、を有することを特徴とするサーバ装置である。
【００１３】
請求項６に係る発明は、請求項３から５のいずれか１項に記載のサーバ装置において、第１端末装置から当該サーバ装置へ認証を要求する第１ユーザが予め登録された登録ユーザであるかどうかを判定する手段と、第２端末装置から当該サーバ装置へ認証を要求する第２ユーザが予め登録された登録ユーザであるかどうかを判定する手段と、前記第１ユーザと前記第２ユーザが予め定められた対応関係を満たす登録ユーザ同士である場合に、前記第１端末装置と前記第２端末装置の関連付けを承認する手段と、を有することを特徴とするサーバ装置である。
【００１４】
請求項７に係る発明は、画像出力装置を指定する指定情報を当該画像出力装置から近接通信で受信する手段と、端末装置自身を識別する識別情報と前記近接通信で受信した画像出力装置の指定情報をサーバ装置へ送信する手段と、を有する端末装置である。
【００１５】
請求項８に係る発明は、画像出力装置自身を指定する指定情報を近接通信で端末装置へ送信する手段と、前記端末装置から前記指定情報を得たサーバ装置が送信する対象ファイルを受信する受信手段と、前記受信手段が受信した対象ファイルを画像出力する出力手段と、を有する画像出力装置である。
【００１６】
請求項９に係る発明は、コンピュータに、端末装置を識別する識別情報と画像出力の対象となる対象ファイルを対応付けて管理する機能と、端末装置から当該端末装置の識別情報と画像出力装置を指定する指定情報を取得する機能と、端末装置から得られた当該端末装置の識別情報に対応付けられた対象ファイルを、当該端末装置から得られた指定情報によって指定される画像出力装置へ提供する機能と、を実現させるプログラムである。
【００１７】
請求項１０に係る発明は、コンピュータに、画像出力装置を指定する指定情報を当該画像出力装置から近接通信で取得する機能と、当該コンピュータを識別する識別情報と近接通信で取得した前記画像出力装置の指定情報をサーバ装置へ提供する機能と、を実現させるプログラムである。
【００１８】
請求項１１に係る発明は、コンピュータに、画像出力の対象となる対象ファイルの送信先を指定する指定情報を近接通信で端末装置へ提供する手段と、前記端末装置から前記指定情報を得たサーバ装置が送信する対象ファイルを取得する機能と、を実現させるプログラムである。
【発明の効果】
【００１９】
請求項１に係る発明により、画像出力の対象ファイルを特定するための情報をユーザが画像出力装置に入力しなくても、その画像出力装置でその対象ファイルを画像出力できるようになる。
【００２０】
請求項２に係る発明により、画像出力装置が自身の指定情報を近接通信で端末装置へ提供してサーバ装置から対象ファイルを取得する画像出力システムが実現される。
【００２１】
請求項３に係る発明により、端末装置から得られる指定情報によって指定される画像出力装置へ対象ファイルを提供するサーバ装置が実現される。
【００２２】
請求項４に係る発明により、第１端末装置の識別情報に対応付けられる対象ファイルが第１端末装置との関連付けを承認された第２端末装置から登録される。
【００２３】
請求項５に係る発明により、第１端末装置と第２端末装置の関連付けを第１端末装置のユーザに承認させることができる。
【００２４】
請求項６に係る発明により、第１端末装置と第２端末装置の関連付けをサーバ装置に承認させることができる。
【００２５】
請求項７に係る発明により、画像出力装置から指定情報を得てサーバ装置へ提供する端末装置が実現される。
【００２６】
請求項８に係る発明により、画像出力装置自身を指定する指定情報を近接通信で端末装置へ提供してサーバ装置から画像出力の対象ファイルを取得する画像出力装置が実現される。
【００２７】
請求項９に係る発明により、画像出力の対象ファイルを特定するための情報をユーザが画像出力装置に入力しなくても、その対象ファイルをその画像出力装置へ提供する機能がコンピュータで実現される。
【００２８】
請求項１０に係る発明により、画像出力装置から指定情報を得てサーバ装置へ提供する機能がコンピュータで実現される。
【００２９】
請求項１１に係る発明により、対象ファイルの送信先を指定する指定情報を近接通信で端末装置へ提供してサーバ装置からその対象ファイルを取得する機能がコンピュータで実現される。
【図面の簡単な説明】
【００３０】
【図１】画像出力システムの具体例を示す図である。
【図２】サーバ装置の具体例を示す図である。
【図３】携帯端末装置の具体例を示す図である。
【図４】画像出力装置の具体例を示す図である。
【図５】ファイル登録時の処理の具体例１を示す図である。
【図６】コンテンツリストの具体例を示す図である。
【図７】ファイル登録時の処理の具体例２を示す図である。
【図８】予約番号の管理テーブルの具体例を示す図である。
【図９】ファイル登録時の処理の具体例３を示す図である。
【図１０】画像出力時の処理の具体例を示す図である。
【発明を実施するための形態】
【００３１】
図１は、本発明の具体的な実施態様の一例を示す図である。図１には、サーバ装置２００とユーザ装置３００と画像出力装置４００とコンテンツ管理装置５００を備えた画像出力システムの具体例が図示されている。図１に示す具体例において、サーバ装置２００とユーザ装置３００と画像出力装置４００とコンテンツ管理装置５００は、例えば無線通信と有線通信の少なくとも一方を利用した通信回線１００を介して互いに接続されてデータ（情報）を遣り取りする。
【００３２】
サーバ装置２００は、画像出力の対象となる対象ファイルを管理する。サーバ装置２００は、例えばユーザからユーザ装置３００を介して登録される対象ファイルを記憶して管理する。また、例えばコンテンツ管理装置５００によって管理されるコンテンツが対象ファイルとしてサーバ装置２００に登録されてもよい。
【００３３】
ユーザ装置３００は、図１に示す画像出力システムのユーザが利用する装置である。図１には、ユーザ装置３００の具体例として、スマートフォンやタブレット端末などの携帯端末装置３１０とパーソナルコンピュータなどの情報処理装置３２０が例示されている。
【００３４】
画像出力装置４００は、ユーザから出力要求のあった対象ファイルの画像（文字や記号のみの画像を含む）を出力する。画像出力装置４００の具体例の一つが、複数の画像出力機能（印刷機能とスキャナ機能とコピー機能とファクシミリ機能などのうちの少なくともいくつかの機能）を備えた複合型の装置である。例えば、画像出力装置４００が複合型の装置であれば、コンビニエンスストアなどの店舗に設置されて不特定多数の顧客に利用されてもよいし、企業や学校などに設置されてその企業や学校の顧客に利用されてもよい。なお、画像出力装置４００は、複数の画像出力機能のうちの１つの機能のみを備えた装置であってもよい。
【００３５】
コンテンツ管理装置５００は、画像ファイルなどの複数のコンテンツを記憶して管理する。コンテンツ管理装置５００によって管理されるコンテンツは、例えばコンテンツの作成者（会社などの組織を含む）などから提供されてもよい。
【００３６】
図２は、サーバ装置２００（図１）の具体例を示す図である。図２に示す具体例において、サーバ装置２００は、ファイル登録受付部２１０と予約番号発行部２２０と登録情報管理部２３０とデータ記憶部２４０と装置情報取得部２５０とファイル提供部２６０と関連付け管理部２７０と認証処理部２８０を備えている。
【００３７】
ファイル登録受付部２１０は画像出力の対象となる対象ファイルの登録を受け付ける。ファイル登録受付部２１０は、例えばユーザ装置３００から送信されて通信回線１００を経由して得られる対象ファイルを通信デバイスなどにより受信して対象ファイルの登録を受け付ける。また、ファイル登録受付部２１０は、例えばコンテンツ管理装置５００から通信回線１００を経由して得られるコンテンツを通信デバイスなどにより受信し、受信したコンテンツを対象ファイルとして受け付けてもよい。
【００３８】
予約番号発行部２２０は、ファイル登録受付部２１０が登録を受け付けた対象ファイルの予約番号を発行する。予約番号発行部２２０は、例えば、複数の対象ファイルの中から特定の対象ファイルを一意的に区別するために、その特定の対象ファイルに固有の予約番号を生成する。
【００３９】
登録情報管理部２３０は、ユーザ装置３００を識別する識別情報と対象ファイルを対応付けて管理する。登録情報管理部２３０は、例えば、ユーザが利用する携帯端末装置３１０の識別情報と、そのユーザによって登録された対象ファイルの予約番号を対応付けた登録情報を管理する。登録情報は、例えば、データ記憶部２４０に記憶されて登録情報管理部２３０によって管理される。
【００４０】
データ記憶部２４０には、登録情報管理部２３０によって管理される登録情報が記憶される。また、データ記憶部２４０には、サーバ装置２００によって利用される様々なデータが記憶されてもよい。なお、データ記憶部２４０は、例えばハードディスクドライブや半導体メモリ等の記憶デバイスを利用して実現されてもよい。
【００４１】
装置情報取得部２５０は、携帯端末装置３１０から、その携帯端末装置３１０の識別情報と、画像出力装置４００を指定する指定情報を取得する。装置情報取得部２５０は、例えば、携帯端末装置３１０から送信されて通信回線１００を経由して得られる識別情報と指定情報を通信デバイスなどにより受信して取得する。
【００４２】
ファイル提供部２６０は、携帯端末装置３１０から取得した識別情報に対応付けられた対象ファイルを、その携帯端末装置３１０から取得した指定情報によって指定される画像出力装置４００へ提供する。ファイル提供部２６０は、例えば通信デバイスなどを利用して対象ファイルのデータを画像出力装置４００へ送信する。送信された対象ファイルのデータは、例えば通信回線１００を経由して画像出力装置４００に提供される。
【００４３】
関連付け管理部２７０は、複数の端末装置同士の関連付けを管理する。関連付け管理部２７０は、例えば、関連付けが承認された携帯端末装置３１０と情報処理装置３２０を対応付けて管理する。
【００４４】
認証処理部２８０は、ユーザ装置３００からサーバ装置２００へ認証を要求するユーザの認証処理を実行する。認証処理部２８０は、例えば、ユーザ装置３００から得られるログイン情報（ログインのための識別子とパスワードなど）を確認して、そのユーザ装置３００を利用するユーザが予め登録された登録ユーザであるかどうかを判定する。そして、例えば、ユーザが登録ユーザであれば、そのユーザによるサーバ装置２００の利用が許可され、ユーザが登録ユーザでなければ、そのユーザによるサーバ装置２００の利用が禁止される。
【００４５】
図２に示す具体例のサーバ装置２００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００４６】
そして、例えば、図２に示すサーバ装置２００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図２に例示するサーバ装置２００の少なくとも一部の機能がコンピュータにより実現される。そのプログラムは、例えば、インターネット等の通信回線を介してコンピュータ（サーバ装置２００）に提供されてもよいし、光ディスクや半導体メモリやカードメモリ等の記憶媒体に記憶されてコンピュータ（サーバ装置２００）に提供されてもよい。
【００４７】
図３は、携帯端末装置３１０（図１）の具体例を示す図である。図３に示す具体例において、携帯端末装置３１０は、ユーザインターフェース部（ＵＩ部）３１１と識別情報管理部３１２と予約処理部３１３とデータ通信部３１４と近接通信部３１５と装置情報提供部３１６を備えている。
【００４８】
ユーザインターフェース部３１１は、携帯端末装置３１０を利用するユーザのユーザインターフェースとして機能する。ユーザインターフェース部３１１は、例えば、携帯端末装置３１０のユーザに対して画像や音声などにより操作のための情報を提供して、そのユーザから操作を受け付ける。例えば、ユーザインターフェース部３１１は、タッチパネルなどの表示デバイスなどにより実現されてもよい。
【００４９】
識別情報管理部３１２は、携帯端末装置３１０の識別情報を記憶して管理する。識別情報管理部３１２は、例えば、複数の装置（機器）の中から携帯端末装置３１０を一意的に区別するために、携帯端末装置３１０に割り当てられた固有の識別情報（携帯端末装置３１０の識別子）を記憶して管理する。
【００５０】
予約処理部３１３は、携帯端末装置３１０の識別情報と対象ファイルを対応付けた情報をサーバ装置２００に登録する予約処理を実行する。予約処理部３１３は、例えば、コンテンツ管理装置５００によって管理される複数のコンテンツの中から、携帯端末装置３１０のユーザが選択した対象ファイルの予約番号とその携帯端末装置３１０の識別情報とを対応付けてサーバ装置２００に登録してもよい。
【００５１】
データ通信部３１４は、通信回線１００を介してサーバ装置２００や画像出力装置４００やコンテンツ管理装置５００などとデータを遣り取りする。これに対し、近接通信部３１５は、近接通信により画像出力装置４００などとデータを遣り取りする。
【００５２】
近接通信部３１５は、画像出力装置４００を指定する指定情報をその画像出力装置４００から近接通信で受信する。なお、近接通信には、例えば数センチメートルから数十メートル程度の距離による通信が含まれる。近接通信部３１５による近接通信の具体例には、例えば、ＮＦＣ（Near Field Communication）、ブルートゥース（登録商標）、ＢＬＥ（Bluetooth Low Energy）などの規格に準拠した通信が含まれる。
【００５３】
装置情報提供部３１６は、携帯端末装置３１０の識別情報と近接通信で受信した画像出力装置４００の指定情報をサーバ装置２００へ提供する。装置情報提供部３１６は、例えば、識別情報管理部３１２が管理する携帯端末装置３１０の識別情報と、近接通信部３１５が近接通信で受信した画像出力装置４００の指定情報を、データ通信部３１４からサーバ装置２００へ送信する。送信された識別情報と指定情報のデータは、例えば通信回線１００を経由してサーバ装置２００に提供される。
【００５４】
図３に示す具体例の携帯端末装置３１０は、例えば携帯型のコンピュータ（スマートフォンやタブレットなどの携帯情報端末を含む）を利用して実現することができる。そのコンピュータは、ＣＰＵ等の演算デバイス、メモリなどの記憶デバイス、インターネット等の通信回線を利用する通信デバイス、半導体メモリなどの記憶媒体やカードタイプの記憶媒体からデータを読み取りデータを書き込むデバイス、ユーザから操作を受け付ける機能と画像の表示機能を備えたタッチパネル等のハードウェア資源を備えている。
【００５５】
そして、例えば、図３に例示する携帯端末装置３１０が備える符号を付した複数部分のうちの少なくとも一部の機能に対応したアプリケーションのプログラム（ソフトウェア）がコンピュータに読み込まれ、そのコンピュータが備えるハードウェア資源と読み込まれたソフトウェアとの協働により、携帯端末装置３１０の少なくとも一部の機能がコンピュータにより実現される。そのプログラムは、例えば、インターネット等の通信回線を介してコンピュータ（携帯端末装置３１０）に提供されてもよいし、半導体記憶素子を利用したメモリ（カードメモリを含む）などの記憶媒体に記憶されてコンピュータ（携帯端末装置３１０）に提供されてもよい。
【００５６】
図４は、画像出力装置４００（図１）の具体例を示す図である。図４に示す具体例において、画像出力装置４００は、指定情報管理部４１０と近接通信部４２０とファイル取得部４３０とデータ記憶部４４０と画像出力部４５０を備えている。
【００５７】
指定情報管理部４１０は、画像出力装置４００の指定情報を記憶して管理する。指定情報管理部４１０は、例えば、複数の装置（機器）の中から画像出力装置４００を一意的に区別するために、画像出力装置４００に割り当てられた固有の指定情報を管理する。例えば、画像出力装置４００が設置された店舗の情報などにより、その画像出力装置４００を指定する指定情報が利用されてもよい。
【００５８】
近接通信部４２０は、画像出力装置４００の指定情報を近接通信で携帯端末装置３１０へ送信する。なお、近接通信には、例えば数センチメートルから数十メートル程度の距離による通信が含まれる。近接通信部４２０による近接通信の具体例には、例えば、ＮＦＣ（Near Field Communication）、ブルートゥース（登録商標）、ＢＬＥ（Bluetooth Low Energy）などの規格に準拠した通信が含まれる。例えば、携帯端末装置３１０の近接通信部３１５と画像出力装置４００の近接通信部４２０は、互いに同じ規格に対応した近接通信でデータを遣り取りする。
【００５９】
ファイル取得部４３０は、サーバ装置２００から送信される対象ファイルを取得する。ファイル取得部４３０は、例えばサーバ装置２００から送信されて通信回線１００を経由して得られる対象ファイルを通信デバイスなどにより受信して対象ファイルを取得する。ファイル取得部４３０が取得した対象ファイルは、例えば、データ記憶部４４０に記憶される。
【００６０】
データ記憶部４４０には、ファイル取得部４３０が取得した対象ファイルのデータが記憶される。また、データ記憶部４４０には、画像出力装置４００によって利用される様々なデータが記憶されてもよい。なお、データ記憶部４４０は、例えばハードディスクドライブや半導体メモリ等の記憶デバイスを利用して実現されてもよい。
【００６１】
画像出力部４５０は、ファイル取得部４３０が受信して取得した対象ファイルを画像出力する。画像出力部４５０は、ユーザからの指示に応じて画像出力を実行する。
【００６２】
図４に示す具体例の画像出力装置４００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００６３】
そして、例えば、図４に示す画像出力装置４００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図４に例示する画像出力装置４００の少なくとも一部の機能がコンピュータにより実現される。そのプログラムは、例えば、インターネット等の通信回線を介してコンピュータ（画像出力装置４００）に提供されてもよいし、光ディスクや半導体メモリやカードメモリ等の記憶媒体に記憶されてコンピュータ（画像出力装置４００）に提供されてもよい。
【００６４】
図１に例示する画像出力システム（図２に例示するサーバ装置２００と図３に例示する携帯端末装置３１０と図４に例示する画像出力装置４００を備える）の全体構成は以上のとおりである。次に、図１の画像出力システムにより実現される処理の具体例について詳述する。なお、図１から図４に示した構成（部分）については、以下の説明において図１から図４の符号を利用する。
【００６５】
図５は、ファイル登録時の処理の具体例１を示す図である。図５に例示する具体例１では、コンテンツ管理装置５００に記憶されて管理される複数のコンテンツの中から対象ファイルが選択される。図５の具体例１では、コンテンツ管理装置５００によって管理されるコンテンツが、例えばコンテンツの作成者（会社などの組織を含む）から提供される。
【００６６】
コンテンツ管理装置５００は、コンテンツの作成者（提供者）からコンテンツのファイルの登録を受け付けると（Ｓ５０１）、サーバ装置２００に対して予約番号の発行を要求する（Ｓ５０２）。
【００６７】
そして、サーバ装置２００の予約番号発行部２２０が予約番号を発行し（Ｓ５０３）、コンテンツ管理装置５００は、コンテンツとして登録されたファイルとそのファイルに対応した予約番号を関連付けて管理する（Ｓ５０４）。コンテンツ管理装置５００は、例えば、コンテンツとして登録された複数のファイルと各ファイルの予約番号を対応付けて管理する。
【００６８】
コンテンツ管理装置５００に登録されたコンテンツを利用するユーザは、例えば携帯端末装置３１０を利用して、コンテンツ管理装置５００が管理するコンテンツのリストを要求する（Ｓ５０５）。その要求に応じて、コンテンツ管理装置５００からコンテンツリストが送信され（Ｓ５０６）、例えば、リストを要求したユーザの携帯端末装置３１０にコンテンツリストが表示される（Ｓ５０７）。
【００６９】
図６は、コンテンツリストの具体例を示す図である。図６には、コンテンツ管理装置５００から送信されて、ユーザの携帯端末装置３１０に提供されるコンテンツリストの具体例が図示されている。図６に例示するコンテンツリストは、例えば携帯端末装置３１０のユーザインターフェース部３１１に表示されてもよい。
【００７０】
コンテンツリストには、ユーザが利用可能な複数のコンテンツの一覧が示される。図６には、コンテンツ１とコンテンツ２とコンテンツ３を含んだコンテンツリストの具体例が図示されている。コンテンツリスト内には、例えば、各コンテンツの画像（例えば縮小されたサンプル画像など）と共に、各コンテンツのサイズ，料金，予約番号などの関連情報が表示される。
【００７１】
なお、各コンテンツの画像に対応付けられた「拡大表示」のボタンをユーザが操作することにより各コンテンツの画像が拡大表示されてもよいし、各コンテンツの画像に対応付けられた「お気に入りに追加」のボタンをユーザが操作することにより各コンテンツの画像がユーザのお気に入りリストに追加されるようにしてもよい。
【００７２】
ユーザは、例えば、携帯端末装置３１０のユーザインターフェース部３１１に表示されるコンテンツリストを見て、対象ファイルとして選択したいコンテンツを確認する。そして、例えば、対象ファイルとして選択したいコンテンツに対応した「予約番号を送信」のボタンをユーザが操作することにより、そのコンテンツの予約番号が選択される。
【００７３】
図５に戻り、ユーザがコンテンツの予約番号を選択すると（Ｓ５０８）、携帯端末装置３１０は、識別情報管理部３１２によって管理される携帯端末装置３１０自身の識別情報と、選択されたコンテンツの予約番号をサーバ装置２００へ送信する（Ｓ５０９）。そして、サーバ装置２００は、携帯端末装置３１０の識別情報と対象ファイルとなるコンテンツの予約番号を関連付けて管理する（Ｓ５１０）。
【００７４】
図７は、ファイル登録時の処理の具体例２を示す図である。図７に例示する具体例２では、携帯端末装置３１０との関連付けが承認された情報処理装置３２０からサーバ装置２００に対象ファイルが登録される。図７の具体例２では、携帯端末装置３１０と情報処理装置３２０との関連付けがユーザによって承認される。
【００７５】
まず、ユーザの携帯端末装置３１０からサーバ装置２００へ識別情報Ａが送信される（Ｓ７０１）。携帯端末装置３１０は、例えば、ユーザからの指示に応じて、識別情報管理部３１２によって管理される携帯端末装置３１０自身の識別情報Ａを送信する。
【００７６】
識別情報Ａを受信したサーバ装置２００は、携帯端末装置３１０を特定する特定情報Ｂを生成する（Ｓ７０２）。サーバ装置２００は、例えば、識別情報Ａから予め定められたアルゴリズムに従って携帯端末装置３１０に固有の特定情報Ｂを生成する。そして、サーバ装置２００は、識別情報Ａと特定情報Ｂを関連付けて管理し（Ｓ７０３）、特定情報Ｂを携帯端末装置３１０へ送信する（Ｓ７０４）。
【００７７】
特定情報Ｂを受信した携帯端末装置３１０は、例えばユーザインターフェース部３１１に特定情報Ｂを表示する（Ｓ７０５）。そして、特定情報Ｂの表示を確認した携帯端末装置３１０のユーザは、そのユーザが利用する情報処理装置３２０に特定情報Ｂを入力する（Ｓ７０６）。ユーザは、例えば、情報処理装置３２０のブラウザに表示されるファイル登録画面内に特定情報Ｂを入力してもよい。
【００７８】
特定情報Ｂが入力されると、情報処理装置３２０は、情報処理装置３２０自身を識別する識別情報Ｃを生成する（Ｓ７０７）。情報処理装置３２０は、例えば、ブラウザ内でジャバスクリプト（JavaScript(登録商標)）を使用することにより、識別情報Ｃの具体例であるＧＵＩＤ（Globally Unique Identifier）を生成してもよい。そして、情報処理装置３２０は、ユーザから得られた特定情報Ｂと、情報処理装置３２０自身が生成した識別情報Ｃをサーバ装置２００へ送信する（Ｓ７０８）。
【００７９】
特定情報Ｂと識別情報Ｃが送信されると、サーバ装置２００は、特定情報Ｂに関連付けて管理される識別情報Ａを検索する（Ｓ７０９）。サーバ装置２００は、例えば、複数のユーザが利用する複数の携帯端末装置３１０に関する複数の識別情報の中から、特定情報Ｂに関連付けて管理される識別情報Ａを検索する。
【００８０】
そして、サーバ装置２００は、検索された識別情報Ａ（携帯端末装置３１０）と、受信した識別情報Ｃ（情報処理装置３２０）とを関連付けて（Ｓ７１０）、その関連付けを承認するかどうかの問い合わせ情報を携帯端末装置３１０に送信する。これにより、例えば携帯端末装置３１０と情報処理装置３２０を関連付けるかどうかをユーザに問い合わせる表示画面が携帯端末装置３１０のユーザインターフェース部３１１に表示される。
【００８１】
携帯端末装置３１０のユーザは、例えば、ユーザインターフェース部３１１に表示される表示画面を確認して、そのユーザが利用する携帯端末装置３１０と情報処理装置３２０の関連付けを承認する操作を実行する（Ｓ７１１）。
【００８２】
サーバ装置２００は、携帯端末装置３１０から関連付けの承認を受け付けると、ユーザによって承認された識別情報Ａ（携帯端末装置３１０）と識別情報Ｃ（情報処理装置３２０）とを関連付けて管理する（Ｓ７１２）。例えば、サーバ装置２００の関連付け管理部２７０が、関連付けを承認された携帯端末装置３１０と情報処理装置３２０を対応付けて管理する。
【００８３】
また、情報処理装置３２０がサーバ装置２００に承認の可否を確認するようにしてもよい（Ｓ７１３）。例えば、情報処理装置３２０が、承認の可否をポーリングでサーバ装置２００に確認してもよい。
【００８４】
こうして、ユーザによって承認された携帯端末装置３１０と情報処理装置３２０の関連付けがサーバ装置２００によって管理される。そして、ユーザが情報処理装置３２０を利用してサーバ装置２００に対象ファイルを登録すると（Ｓ７１４）、サーバ装置２００の予約番号発行部２２０が予約番号を発行し（Ｓ７１５）、サーバ装置２００の登録情報管理部２３０が、情報処理装置３２０から登録された対象ファイルの予約番号と、その情報処理装置３２０に関連付けられた携帯端末装置３１０の識別情報Ａを対応付けて管理する（Ｓ７１６）。登録情報管理部２３０は、例えば、予約番号管理テーブル（図８）を管理してもよい。
【００８５】
図７に例示する具体例２によれば、携帯端末装置３１０と情報処理装置３２０の関連付けがユーザによって承認される。また、図７に例示する具体例２によれば、携帯端末装置３１０との関連付けが承認された情報処理装置３２０からサーバ装置２００に対象ファイルが登録される。
【００８６】
図８は、予約番号管理テーブルの具体例を示す図である。図８には、ファイルＩＤと予約番号と携帯端末ＩＤと情報処理装置ＩＤを対応付けて管理する予約番号管理テーブルの具体例が図示されている。
【００８７】
図８に例示する具体例において、ファイルＩＤは登録された対象ファイルの識別子であり、予約番号は登録された対象ファイルの予約番号である。そして、図８に例示する具体例において、携帯端末ＩＤと情報処理装置ＩＤは、互いに関連付けが承認された携帯端末装置３１０と情報処理装置３２０の識別情報である。登録情報管理部２３０は、例えば、図８に例示する具体例の予約番号管理テーブルを管理してもよい。
【００８８】
図９は、ファイル登録時の処理の具体例３を示す図である。図９に例示する具体例３では、携帯端末装置３１０と情報処理装置３２０との関連付けがサーバ装置２００によって承認され、携帯端末装置３１０との関連付けが承認された情報処理装置３２０からサーバ装置２００に対象ファイルが登録される。
【００８９】
図９に例示する具体例３では、携帯端末装置３１０と情報処理装置３２０を利用するユーザが、携帯端末装置３１０からサーバ装置２００へ認証を要求する（Ｓ９０１）。例えば、ユーザの携帯端末装置３１０からサーバ装置２００へ、ログイン情報（ログインのための識別子とパスワードなど）が送信される。
【００９０】
サーバ装置２００の認証処理部２８０は、例えば、携帯端末装置３１０から得られるログイン情報を確認して、その携帯端末装置３１０を利用するユーザが予め登録された登録ユーザであるかどうかを判定する。そして、例えば、ユーザが登録ユーザであれば、そのユーザによるサーバ装置２００へのログインが許可される（Ｓ９０２）。
【００９１】
ログインが許可されると、携帯端末装置３１０からサーバ装置２００へ識別情報Ａが送信される（Ｓ９０３）。携帯端末装置３１０は、例えば、識別情報管理部３１２によって管理される携帯端末装置３１０自身の識別情報Ａを送信する。
【００９２】
さらに、図９に例示する具体例３では、携帯端末装置３１０と情報処理装置３２０を利用するユーザが、情報処理装置３２０からサーバ装置２００へ認証を要求する（Ｓ９０４）。例えば、ユーザの情報処理装置３２０からサーバ装置２００へ、ログイン情報（ログインのための識別子とパスワードなど）が送信される。
【００９３】
サーバ装置２００の認証処理部２８０は、例えば、情報処理装置３２０から得られるログイン情報を確認して、その情報処理装置３２０を利用するユーザが予め登録された登録ユーザであるかどうかを判定する。そして、例えば、ユーザが登録ユーザであれば、そのユーザによるサーバ装置２００へのログインが許可される（Ｓ９０５）。
【００９４】
ログインが許可されると、情報処理装置３２０は、情報処理装置３２０自身を識別する識別情報Ｃを生成する（Ｓ９０６）。情報処理装置３２０は、例えば、ブラウザ内でジャバスクリプト（JavaScript(登録商標)）を使用することにより、識別情報Ｃの具体例であるＧＵＩＤ（Globally Unique Identifier）を生成してもよい。そして、情報処理装置３２０は、生成した識別情報Ｃをサーバ装置２００へ送信する（Ｓ９０７）。
【００９５】
携帯端末装置３１０の識別情報Ａと情報処理装置３２０の識別情報Ｃが送信されると、サーバ装置２００は、識別情報Ａ（携帯端末装置３１０）と識別情報Ｃ（情報処理装置３２０）とを関連付けて管理する（Ｓ９０８）。例えば、サーバ装置２００の関連付け管理部２７０が、関連付けを承認された携帯端末装置３１０と情報処理装置３２０を対応付けて管理する。
【００９６】
こうして、サーバ装置２００の認証によって承認された携帯端末装置３１０と情報処理装置３２０の関連付けがサーバ装置２００によって管理される。サーバ装置２００は、例えば、携帯端末装置３１０のユーザと情報処理装置３２０のユーザが、予め定められた対応関係を満たす登録ユーザ同士である場合に、携帯端末装置３１０と情報処理装置３２０の関連付けを承認するようにしてもよい。
【００９７】
サーバ装置２００は、例えば、携帯端末装置３１０のユーザと情報処理装置３２０のユーザが同一の登録ユーザであれば、携帯端末装置３１０と情報処理装置３２０の関連付けを承認する。また、サーバ装置２００は、例えば、携帯端末装置３１０のユーザと情報処理装置３２０のユーザが同一グループに属する登録ユーザである場合に、携帯端末装置３１０と情報処理装置３２０の関連付けを承認してもよい。また、サーバ装置２００は、例えば、携帯端末装置３１０のユーザと情報処理装置３２０のユーザが、予め組み合わせを許可された登録ユーザ同士である場合に、携帯端末装置３１０と情報処理装置３２０の関連付けを承認してもよい。
【００９８】
携帯端末装置３１０と情報処理装置３２０の関連付けがサーバ装置２００によって管理され、そして、ユーザが情報処理装置３２０を利用してサーバ装置２００に対象ファイルを登録すると（Ｓ９０９）、サーバ装置２００の予約番号発行部２２０が予約番号を発行し（Ｓ９１０）、サーバ装置２００の登録情報管理部２３０が、情報処理装置３２０から登録された対象ファイルの予約番号と、その情報処理装置３２０に関連付けられた携帯端末装置３１０の識別情報Ａを対応付けて管理する（Ｓ９１１）。なお、登録情報管理部２３０は、例えば予約番号管理テーブル（図８参照）を管理してもよい。
【００９９】
図９に例示する具体例３によれば、携帯端末装置３１０と情報処理装置３２０の関連付けがサーバ装置２００によって承認される。また、図９に例示する具体例３によれば、携帯端末装置３１０との関連付けが承認された情報処理装置３２０からサーバ装置２００に対象ファイルが登録される。
【０１００】
図１０は、画像出力時の処理の具体例を示す図である。サーバ装置２００に登録した対象ファイルを画像出力装置４００で出力しようとするユーザは、携帯端末装置３１０を携帯して画像出力装置４００が設置された場所に向かう。
【０１０１】
ユーザの携帯端末装置３１０が画像出力装置４００に接近すると（Ｓ１０１）、画像出力装置４００の近接通信部４２０が画像出力装置４００を指定する指定情報を近接通信で携帯端末装置３１０へ送信する（Ｓ１０２）。そして、携帯端末装置３１０の近接通信部３１５が画像出力装置４００の指定情報を近接通信で受信する（Ｓ１０３）。
【０１０２】
携帯端末装置３１０と画像出力装置４００との間の近接通信には、例えば数センチメートルから数十メートル程度の距離による通信が含まれる。携帯端末装置３１０と画像出力装置４００との間の近接通信の具体例には、例えば、ＮＦＣ（Near Field Communication）、ブルートゥース（登録商標）、ＢＬＥ（Bluetooth Low Energy）などの規格に準拠した通信が含まれる。
【０１０３】
携帯端末装置３１０と画像出力装置４００との間の近接通信として、ＮＦＣが利用される場合には、例えば、画像出力装置４００が備えるＮＦＣの通信機器（ＮＦＣタグなど）に、ユーザが携帯端末装置３１０をかざすことにより、画像出力装置４００の指定情報管理部４１０によって管理される指定情報が携帯端末装置３１０に送信される。
【０１０４】
画像出力装置４００の指定情報を受信すると、携帯端末装置３１０は、識別情報Ａと指定情報をサーバ装置２００へ送信する（Ｓ１０４）。例えば、携帯端末装置３１０の装置情報提供部３１６が、携帯端末装置３１０自身の識別情報Ａと近接通信で受信した画像出力装置４００の指定情報をサーバ装置２００へ提供する。装置情報提供部３１６は、例えば、識別情報管理部３１２が管理する識別情報Ａと、近接通信部３１５が近接通信で受信した画像出力装置４００の指定情報を、データ通信部３１４からサーバ装置２００へ送信する。送信された識別情報と指定情報のデータは、例えば通信回線１００を経由してサーバ装置２００に提供される。
【０１０５】
サーバ装置２００は、識別情報Ａと指定情報を受信すると（Ｓ１０５）、識別情報Ａに対応付けられた予約番号の対象ファイルを特定する（Ｓ１０６）。サーバ装置２００は、例えば、データ記憶部２４０に記憶されて管理される複数のファイルの中から、識別情報Ａに対応付けられた予約番号の対象ファイルを検索して特定する。
【０１０６】
そして、サーバ装置２００は、Ｓ１０５で受信した指定情報で指定される画像出力装置４００へ、Ｓ１０６で特定された対象ファイルのデータを送信する（Ｓ１０７）。例えばサーバ装置２００のファイル提供部２６０が、例えば通信デバイスなどを利用して対象ファイルのデータを画像出力装置４００へ送信する。送信された対象ファイルのデータは、例えば通信回線１００を経由して画像出力装置４００に提供される。
【０１０７】
サーバ装置２００から対象ファイルのデータが送信されると、画像出力装置４００のファイル取得部４３０がその対象ファイルを受信して取得する（Ｓ１０８）。そして、例えば、ユーザからの画像出力の指示に従って、画像出力装置４００の画像出力部４５０が対象ファイルの画像を出力する（Ｓ１０９）。例えば、画像出力の指示として、印刷による出力の指示が成されていれば、画像出力部４５０が対象ファイルの画像を用紙などの媒体に印刷して出力する。こうして、図１０に例示する画像出力時の処理が終了する。
【０１０８】
図１０に例示する具体例によれば、ユーザが携帯端末装置３１０を画像出力装置４００に接近させることにより、画像出力の対象ファイルを特定するための情報をユーザが画像出力装置４００の操作パネルなどに入力しなくても、その対象ファイルの画像が画像出力装置４００から出力される。
【０１０９】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【０１１０】
２００  サーバ装置、２１０  ファイル登録受付部、２２０  予約番号発行部、２３０  登録情報管理部、２４０  データ記憶部、２５０  装置情報取得部、２６０  ファイル提供部、２７０  関連付け管理部、２８０  認証処理部、３００  ユーザ装置、３１０  携帯端末装置、３２０  情報処理装置、４００  画像出力装置、４１０  指定情報管理部、４２０  近接通信部、４３０  ファイル取得部、４４０  データ記憶部、４５０  画像出力部。
【図１】
2020003969.tif 000003
【図２】
2020003969.tif 000004
【図３】
2020003969.tif 000005
【図４】
2020003969.tif 000006
【図５】
2020003969.tif 000007
【図６】
2020003969.tif 000008
【図７】
2020003969.tif 000009
【図８】
2020003969.tif 000010
【図９】
2020003969.tif 000011
【図１０】
2020003969.tif 000012